(57)【要約】【課題】携帯性に優れ、簡単に操作可能で、従来の紙による不便さを解決する画像表示装置を提供する【解決手段】画像を表示する第一表示部１１ａと、第一表示部１１ａの裏面に位置して画像を表示する第二表示部１１ｂと、装置全体の動作を制御する制御部（１２）と、を備えた画像表示装置１０であって、画像表示装置１０の回転動作を検出する回転検出部１７を備え、制御部（１２）は、回転検出部１７の検出結果に基づいて、第二表示部１１ｂに表示すべき画像の上下方向を正しく表示するような回転方向を判断して、画像を第二表示部１１ｂに表示する【選択図】図２
2010156781.tif 000002
【特許請求の範囲】
【請求項１】
画像を表示する第一表示部と、前記第一表示部の裏面に位置して画像を表示する第二表示部と、装置全体の動作を制御する制御部と、を備えた画像表示装置であって、
前記画像表示装置の回転動作を検出する回転検出部を備え、
前記制御部は、前記回転検出部の検出結果に基づいて、前記第二表示部に表示すべき画像の上下方向を正しく表示するような回転方向を判断して、前記画像を前記第二表示部に表示することを特徴とする画像表示装置。
【請求項２】
請求項１の画像表示装置において、前記制御部は、前記回転検出部による前記画像表示装置の回転方向の検出結果に基づいて、次に前記第二表示部に表示すべき頁を判断して、該頁を前記第二表示部に表示することを特徴とする画像表示装置。
【請求項３】
請求項２の画像表示装置において、前記回転検出部が前記画像表示装置の回転速度を検出する手段を備え、前記制御部は、前記回転検出部の検出した回転速度に応じて、前記第一表示部に表示された画像から所定の頁数分移動した頁を次に前記第二表示部に表示すべき頁と判断して、該頁を前記第二表示部に表示することを特徴とする画像表示装置。
【請求項４】
請求項３の画像表示装置において、前記所定の頁数が任意に設定できることを特徴とする画像表示装置。
【請求項５】
請求項１乃至４の何れか一項の画像表示装置において、前記第一表示部と前記第二表示部とが、電源が切断されても画像表示を保持できる記憶性画像表示媒体であることを特徴とする画像表示装置。
【発明の詳細な説明】
【技術分野】
【０００１】
本発明は、紙などの印刷物に替わる画像表示装置に関し、特に紙と同様に両面に画像を表示することが可能な画像表示装置に関するものである。
【背景技術】
【０００２】
近年、記憶性画像表示機能を有する画像表示装置、いわゆる電子ペーパーの開発が進んでいる。電子ペーパーは、電源が切断されても画像表示を保持できるため、通常の紙の印刷物の代わりに使用することによって、紙の使用量を大幅に削減することが可能である。また、電子ペーパーは、画像の書き換え時のみ電力を必要とするため、他の電子表示媒体、例えばパソコンや携帯電話端末等に比べて電力消費量の削減も期待できる。
上述の電子ペーパーにおいて、例えば頁をめくる等、その表示を切り替えるためには、何らかの方法でその旨の命令を入力しなければならない。従来の電子ペーパーではキー入力が要求され、操作が煩雑であった。
この点特許文献１では、表示装置の傾きをセンサで検知し、検知した傾きがある一定以上になった傾きの方向を検知し、その傾きの方向によって、表示装置の表示内容を変更できるような表示装置が提案されている。また特許文献２では、それぞれ両面に表示面を持つ複数枚の電子ペーパーシートから構成され、電子ペーパーシートの循環的なめくりによって画像を切替える事が可能な表示装置（電子ブック）が提案されている。いずれも、キー入力に比べると簡単に操作可能となっている。
【特許文献１】特開２００５−１６５７６０公報
【特許文献２】特開２００７−３３３９７３公報
【発明の開示】
【発明が解決しようとする課題】
【０００３】
しかしながら特許文献１では、表示装置を傾ける、という動作が要求されており、ユーザーは画像切り替え操作を新たに覚えなければならないという問題がある。従来、紙の取り扱いに慣れて親しんできた者にとって、紙とは異なる操作が要求される点で、表示装置の操作が容易であるとはいえない。紙と同じ操作感覚で簡単に画像を閲覧できる表示装置が望まれる。
この点、特許文献２の表示装置では、紙の本と同じように電子ペーパーシートをめくることによって表示内容を切替えることができる。しかしながら、表示装置は複数枚の電子ペーパーシートを有していなければならず、携帯性に優れているとは言い難い。
さらに、特許文献１、２共に、表示装置を回転させたときの表示方向まで考慮されていないため、従来の紙による不便さを解決するに到っていない。
本発明は上述の点に鑑みてなされたものであり、携帯性に優れ、簡単に操作可能で、従来の紙による不便さを解決する画像表示装置を提供することを目的とする。
【課題を解決するための手段】
【０００４】
上記の課題を解決するために、請求項１に記載の発明は、画像を表示する第一表示部と、前記第一表示部の裏面に位置して画像を表示する第二表示部と、装置全体の動作を制御する制御部と、を備えた画像表示装置であって、前記画像表示装置の回転動作を検出する回転検出部を備え、前記制御部は、前記回転検出部の検出結果に基づいて、前記第二表示部に表示すべき画像の上下方向を正しく表示するような回転方向を判断して、前記画像を前記第二表示部に表示することを特徴とする。
請求項２に記載の発明は、請求項１の画像表示装置において、前記制御部は、前記回転検出部による前記画像表示装置の回転方向の検出結果に基づいて、次に前記第二表示部に表示すべき頁を判断して、該頁を前記第二表示部に表示することを特徴とする。
【０００５】
請求項３に記載の発明は、請求項２の画像表示装置において、前記回転検出部が前記画像表示装置の回転速度を検出する手段を備え、前記制御部は、前記回転検出部の検出した回転速度に応じて、前記第一表示部に表示された画像から所定の頁数分移動した頁を次に前記第二表示部に表示すべき頁と判断して、該頁を前記第二表示部に表示することを特徴とする。
請求項４に記載の発明は、請求項３の画像表示装置において、前記所定の頁数が任意に設定できることを特徴とする。
請求項５に記載の発明は、請求項１乃至４の何れか一項の画像表示装置において、前記第一表示部と前記第二表示部とが、電源が切断されても画像表示を保持できる記憶性画像表示媒体であることを特徴とする。
【発明の効果】
【０００６】
本発明の画像表示装置によれば、両面に表示面を備えていることから、両面印刷された紙原稿のように表示装置を裏返すという動作により、裏面の画像を閲覧することが出来る。また、紙の場合、裏面原稿の印刷方向と裏返す方向によっては、原稿の向きがユーザーに見辛い向きになる。しかし、本発明の表示装置では、裏返す方向を検知し、自動的にユーザーにとって最適な表示方向に画像を表示できるため、ユーザーは裏面の画像の表示方向を気にせずに裏返して裏面の画像を閲覧することが出来る。
【発明を実施するための最良の形態】
【０００７】
〔第一の実施形態〕
本発明の第一の実施形態について図１乃至４に基づいて説明する。本実施形態においては、画像表示装置を裏返しても表示画像の向き（上下関係）がユーザーから見て変化しない点に特徴がある。図１は、第一の実施形態に係る画像表示装置のハードウェア構成を示す概略ブロック図である。図２は、画像表示装置の動作を示したフローチャートである。図３、図４は、画像表示装置の回転方向と画像の表示状態との関係を示した模式図である。
本実施形態における画像表示装置１０は両面に表示部１１を備え、画像表示装置１０を裏返すことにより裏面に位置する表示部１１に表示された画像も閲覧できる装置である。
図１のブロック図に示すように画像表示装置１０は、画像を表示する第一表示部１１ａと、第一表示部１１ａの裏面に位置して画像を表示する第二表示部１１ｂと、画像表示装置１０全体の動作を制御するためのＣＰＵ１２（制御部）と、第一表示部１１ａの表示制御を行う第一表示制御部１３ａと、第二表示部１１ｂの表示制御を行う第二表示制御部１３ｂと、表示部１１に表示するための画像情報を蓄積する画像記憶部１４と、画像表示装置１０の制御プログラムを記憶するＲＯＭ１５と、制御プログラムの実行メモリとなるＲＡＭ１６と、画像表示装置１０の回転動作を検出する回転検出部１７と、ユーザーからの入力を受け付ける操作部１８と、画像表示装置１０へ電力を供給する電源１９と、を備える。
本実施形態では表示部１１を構成する表示媒体として、電源が切断されても画像表示を保持できる記憶性を有した記憶性表示媒体の例により説明するが、他の表示媒体、例えば液晶やＥＬ液晶等を用いることも可能である。
【０００８】
またＣＰＵ１２が、第一表示制御部１３ａと第二表示制御部１３ｂとを含むように構成しても良い。
また、画像記憶部１４の代わりに、画像表示装置１０の外部から画像情報を受け渡し可能なインターフェースとして画像情報受信部を備えてもよい。また、画像表示装置１０には電源１９を備えずに、電力供給用のインターフェースを通じて装置外部から電力供給を受けるようにしてもよい。
回転検出部１７には例えば加速度センサを用いる。以下説明するような回転方向を検知可能なセンサであれば、いずれのセンサを使用することも可能であり、また各センサを適宜組み合わせて使用することも可能である。
【０００９】
上述の画像表示装置１０の動作について図２に基づいて説明する。
（ステップＳ１）まず画像表示装置１０のいずれの表示部１１に画像を表示するかを、ユーザーが操作部１８から指定する。このとき、あわせて表示すべき画像を指定するようにしてもよい。ＣＰＵ１２が指定された表示部１１に対応した表示制御部１３を制御して、表示制御部１３が画像記憶部１４から画像情報を読み出し、表示部１１に画像を表示させる。また、ＣＰＵ１２が回転検出部１７の制御を開始して、画像表示装置１０本体の回転動作の検出動作が開始される。
なお画像表示装置１０は、初期状態においては所定の上下方向のもとで画像を表示する。ユーザーは、表示部１１の上下方向を操作部１８から任意に指定することもできる。
（ステップＳ２）回転検出部１７により、表示部１１の回転動作が検知されればステップＳ３へ、されなければステップＳ６へ進む。  
（ステップＳ３）回転検出部１７で検出された表示部１１の回転方向が、横方向か縦方向か判別する。横方向ならばステップＳ４へ、縦方向ならばステップＳ５へ進む。
ここで横方向とは、ユーザーから見て表示部１１の画面上の縦軸周りに回転する回転方向のことである（図４参照）。言い換えれば、ユーザーの視点からは、回転によって画面の左右縦辺が入れ替わり、上下辺が入れ替わらないような回転のことである。また縦方向とは、ユーザーから見て表示部１１の画面上の横軸周りに回転する回転方向のことである（図３参照）。言い換えれば、ユーザーの視点からは、回転によって画面の上下辺が入れ替わり、左右縦辺が入れ替わらないような回転のことである。
【００１０】
（ステップＳ４）（ステップＳ５）ＣＰＵ１２が、次に表示すべき画像がユーザーにとって見やすい表示方向になるような画像の回転方向を判断し、対応する表示制御部１３に設定してステップＳ６に進む。ここでユーザーにとって見やすい表示方向とは、表示される画像の上下方向がユーザーから見て正しく表示される方向のことである。
なお本ステップには、画像表示装置１０の回転前に裏側の表示部１１に表示されていた画像を見やすい表示方向となるように回転させる設定の他、画像表示装置１０の回転前に裏側の表示部１１に何の画像も表示されていない場合に、次に表示すべき画像を見やすい表示方向に回転させるための設定も含む。
（ステップＳ６）ＣＰＵ１２からの指示に基づき表示制御部１３が画像記憶部１４から次に表示すべき画像情報を読み取り、ステップＳ４、ステップＳ５にて設定した表示方向で、回転により表面となった表示部１１に画像を表示する。なお、表示すべき画像及びその方向を変更する必要が無いと判断された場合は、改めて表示し直す必要はない。
ステップＳ６の画像表示処理が終了した後は、回転動作の検出待機状態となる。
【００１１】
本実施形態に関わる画像表示装置の動作について図３、図４に基づいて説明する。
図３は画像表示装置を縦に回転させた場合の動作を示す図であり、（ａ）は回転前の状態を示す図であり、（ｂ）は回転後の状態を示す図である。（ａ）に示すように第一表示部１１ａには、ユーザーにとって見やすい方向で画像が表示されている。また第二表示部１１ｂには、操作部１８のある側の辺が下側となるように画像が表示されている。この状態から裏面にある第二表示部１１ｂの画像を閲覧する為、画像表示装置１０本体を縦回転させて裏返すと、そのままでは第二表示部１１ｂに表示されている画像の上下関係が正しく表示されないこととなる。本実施形態では（ｂ）に示すようにユーザーから閲覧される側となった第二表示部１１ｂの画像が、ユーザーにとって見やすい方向となるように回転される。このとき裏面となって閲覧に供されない第一表示部１１ａの画像は、回転前後においてその表示方向を変更されない。
また、図４は画像表示装置を横に回転させた場合の動作を示す図であり、（ａ）は回転前の状態を示す図であり、（ｂ）は回転後の状態を示す図である。（ａ）に示すように第一表示部１１ａには、ユーザーにとって見やすい方向で画像が表示されている。また第二表示部１１ｂには、操作部１８のある側の辺が下側となるように画像が表示されている。この状態から裏面にある第二表示部１１ｂの画像を閲覧する為、画像表示装置１０本体を横回転させて裏返しても、第二表示部１１ｂに表示されている画像の上下関係が正しく表示されるので、画像を回転させずにそのまま表示を続ける。
【００１２】
以上のように本実施形態によれば、画像表示装置１０は表裏両面に表示部１１を備えていることから、両面印刷された紙原稿のように画像表示装置１０を裏返すという動作により、裏面の表示部１１に表示された画像を閲覧することが出来る。また、紙の場合、裏面原稿の印刷方向と裏返す方向によっては、原稿の向きがユーザーにとって見辛い向きになるが、本実施形態における画像表示装置１０では、回転検出部１７が裏返す方向を検知し、自動的にユーザーにとって最適な表示方向に画像を表示できるため、ユーザーは裏面の画像の表示方向を気にせずに裏返して裏面の画像を閲覧することが出来る。
【００１３】
〔第二の実施形態〕
本発明の第二の実施形態について図５に基づいて説明する。本実施形態は、画像表示装置の回転方向の検出結果に基づいて表示すべき頁を判断する点に特徴がある。図５は、画像表示装置の動作を示したフローチャートである。なお、第一の実施形態と同一の動作をする部分については同一のステップ番号を付してその説明を省略する。
ステップＳ１乃至Ｓ３は、第一の実施形態と同様である。ステップＳ３では、回転検出部１７で検出された表示部１１の回転方向が、縦方向か横方向か判別し、横方向ならばステップＳ１１へ、縦方向ならばステップＳ１４へ進む。
【００１４】
（ステップＳ１１）回転方向が右回転ならステップＳ１２へ、左回転ならステップＳ１３へ進む。ここで右回転とは、図３に示すように、ユーザーから見て表示部１１の画面上の縦軸周りに回転して、回転前に左にあった画像表示装置１０の縦辺が画像表示装置１０の表側を通過して右側の縦辺となる回転方向のことである。また左回転とは、ユーザーから見て表示部１１の画面上の縦軸周りに回転して、回転前に右にあった画像表示装置１０の縦辺が画像表示装置１０の表側を通過して左側の縦辺となる回転方向のことである。
（ステップＳ１２）ＣＰＵ１２が、現在裏面となっている表示部１１を制御する表示制御部１３に対し、現在表面となっている表示部１１に表示されている頁の前頁の画像情報が格納されているメモリ領域にアクセスするよう設定した後、ステップＳ４へ進む。
（ステップＳ１３）ＣＰＵ１２が、現在裏面となっている表示部１１を制御する表示制御部１３に対し、現在表面となっている表示部１１に表示されている頁の次頁の画像情報が格納されているメモリ領域にアクセスするよう設定した後、ステップＳ４へ進む。なお、右回転をしたときに次頁、左回転をしたときに前頁のメモリ領域にアクセスする等のように、ユーザーが画像表示装置１０の回転方向と頁送り方向との関係を任意に設定できるようにしてもよい。
【００１５】
（ステップＳ１４）回転方向が下回転ならステップＳ１５へ、上回転ならステップＳ１６へ進む。ここで上回転とは、図３に示すように、ユーザーから見て表示部１１の画面上の横軸周りに回転して、回転前に下にあった画像表示装置１０の辺が画像表示装置１０の表側を通過して上側の辺となる回転方向のことである。また下回転とは、ユーザーから見て表示部１１の画面上の横軸周りに回転して、回転前に上にあった画像表示装置１０の辺が画像表示装置１０の表側を通過して下側の辺となる回転方向のことである。
（ステップＳ１５）ＣＰＵ１２が、現在裏面となっている表示部１１を制御する表示制御部１３に対し、現在表面となっている表示部１１に表示されている頁の前頁の画像情報が格納されているメモリ領域にアクセスするよう設定した後、ステップＳ５へ進む。
（ステップＳ１６）ＣＰＵ１２が、現在裏面となっている表示部１１を制御する表示制御部１３に対し、現在表面となっている表示部１１に表示されている頁の次頁の画像情報が格納されているメモリ領域にアクセスするよう設定した後、ステップＳ５へ進む。
（ステップＳ６）ＣＰＵ１２からの指示に基づき表示制御部１３がステップＳ１２、Ｓ１３、Ｓ１５、又はＳ１６にて設定したメモリ領域から画像データを読み取り、ステップＳ４、又はＳ５にて設定した表示方向で、回転により表面となった表示部１１に画像を表示する。
【００１６】
以上のように本実施形態によれば、頁を切替える場合、キー操作などの複雑な手順を踏む必要が無く、１頁進む／１頁戻るという操作を、画像表示装置を裏返すという動作を行うことにより実現できる。この動作は、紙の本と同様の動作である為、従来の紙媒体に近い操作感覚をユーザーに提供することができる。
また、例えば電気泳動方式の電子ペーパーのように書き換えに時間のかかる表示部を採用した場合であっても、ユーザーが裏返す動作をする時間の間に書き換えが完了するので、ユーザーに書き換え待ち時間の意識させずに済む。
【００１７】
〔第三の実施形態〕
本発明の第三の実施形態について図６に基づいて説明する。本実施形態は、画像表示装置の回転速度を回転検出部にて検出し、その速度に応じて次に表示すべき頁を判断する点に特徴がある。図６は、画像表示装置の動作を示したフローチャートである。なお、第一、第二の実施形態と同一の動作をする部分については同一のステップ番号を付してその説明を省略する。
なお、以下では、画像記憶部１４に複数の章から構成される複数の画像が蓄積されている画像表示装置１０の例により説明する。
【００１８】
（ステップＳ１１）回転方向が右回転ならステップＳ２１へ、左回転ならステップＳ２４へ進む。
（ステップＳ２１）回転検出部１７で検出した回転速度が一定量以上ならばステップＳ２２へ、一定量以下ならステップＳ２３へ進む。
（ステップＳ２２）ＣＰＵ１２が、現在裏面となっている表示部１１を制御する表示制御部１３に、現在表面となっている表示部１１に表示されている頁から指定頁分前の画像情報が格納されているメモリ領域にアクセスするように設定した後、ステップＳ４へ進む。例えば、図６のフローチャートに示すように、前章の先頭頁を読み込むように設定する。
（ステップＳ２３）ＣＰＵ１２が、現在裏面となっている表示部１１を制御する表示制御部１３に対し、現在表面となっている表示部１１に表示されている頁の前頁の画像情報が格納されているメモリ領域にアクセスするように設定した後、ステップＳ４へ進む。
（ステップＳ２４）回転検出部で検出した回転速度が一定量以上ならばステップＳ２５へ、一定量以下ならステップＳ２６へ進む。
（ステップＳ２５）ＣＰＵ１２が、現在裏面となっている表示部１１を制御する表示制御部１３に対し、現在表面となっている表示部１１に表示されている頁から指定頁分後の画像情報が格納されているメモリ領域にアクセスするように設定した後、ステップＳ４へ進む。例えば、図６のフローチャートに示すように、次章の先頭頁を読み込むように設定する。
（ステップＳ２６）ＣＰＵ１２が、現在裏面となっている表示部１１を制御する表示制御部１３に対し、現在表面となっている表示部１１に表示されている頁の次頁の画像情報が格納されているメモリ領域にアクセスするように設定した後、ステップＳ４へ進む。
【００１９】
（ステップＳ１４）回転方向が下回転ならステップＳ２７へ、上回転ならステップＳ３０へ進む。
（ステップＳ２７乃至Ｓ３２）ステップＳ２７乃至Ｓ３２は、それぞれステップＳ２１乃至Ｓ２６と同等であるため、その説明を省略する。
（ステップＳ６）ＣＰＵからの指示に基づき表示制御部がステップＳ２２、Ｓ２３、Ｓ２５、Ｓ２６、Ｓ２８、Ｓ２９、Ｓ３１、Ｓ３２で設定したメモリ領域から画像データを読み取り、ステップＳ４、または、ステップＳ５で設定した表示方向で、回転により表面となった表示部１１に画像を表示する。
なお、本実施形態では、回転検出部で検出した回転速度が一定量以上である場合に、前章、あるいは次章の先頭頁を読み込む例により説明した。この頁送り量は、操作部１８を操作することにより画像表示装置１０の所定の設定モードに移行して設定することができる。この設定モードにおいて、画像表示装置１０の回転速度及び回転速度が一定量以上の時の切り替え頁数、すなわちジャンプ頁数をユーザーが任意に設定することができる。
【００２０】
以上のように本発明によれば、多数の画像で構成される情報を閲覧する場合、画像表示装置本体を裏返す速度に応じて、指定された頁数分だけ遷移させることができ、目的の頁を閲覧するために１頁切替えるごとに本体を裏返すことに比べて、ユーザーの負担を軽減することができる。また、ユーザーが遷移する頁数を設定できることにより、それぞれのユーザーに合った環境を提供することができる。
【図面の簡単な説明】
【００２１】
【図１】第一の実施形態に係る画像表示装置のハードウェア構成を示す概略ブロック図である。
【図２】第一の実施形態に係る画像表示装置の動作を示したフローチャートである。
【図３】画像表示装置を縦に回転させた場合の動作を示す図であり、（ａ）は回転前の状態を示す図であり、（ｂ）は回転後の状態を示す図である。
【図４】画像表示装置を横に回転させた場合の動作を示す図であり、（ａ）は回転前の状態を示す図であり、（ｂ）は回転後の状態を示す図である。
【図５】第二の実施形態に係る画像表示装置の動作を示したフローチャートである。
【図６】第三の実施形態に係る画像表示装置の動作を示したフローチャートである。
【符号の説明】
【００２２】
１０…画像表示装置、１１…表示部、１１ａ…第一表示部、１１ｂ…第二表示部、１２…ＣＰＵ、１３…表示制御部、１３ａ…第一表示制御部、１３ｂ…第二表示制御部、１４…画像記憶部、１５…ＲＯＭ、１６…ＲＡＭ、１７…回転検出部、１８…操作部、１９…電源
【図１】
2010156781.tif 000003
【図２】
2010156781.tif 000004
【図３】
2010156781.tif 000005
【図４】
2010156781.tif 000006
【図５】
2010156781.tif 000007
【図６】
2010156781.tif 000008